(57)【要約】【課題】作業スペースを確保しつつ、より栽培密度を高めることができる植物栽培システムを提供する。【解決手段】複数の移動架台１１が、水平方向に伸びて並列に配置され、互いの間隔を変更可能に、それぞれ幅方向に移動可能に設けられている。各移動架台１１は、その幅方向の両側部に、それぞれ上下動可能に設けられた１対の栽培棚２３を有している。各移動架台１１ごとに棚用回転シャフト２５と棚用回転モータ２６と棚用ワイヤ２７とを有している。棚用回転シャフト２５は各移動架台１１にその長さ方向に伸びて回転可能に設けられている。棚用回転モータ２６は棚用回転シャフト２５を正転および反転可能に各移動架台１１に設けられている。棚用ワイヤ２７は両端にそれぞれ栽培棚２３が吊り下げられ、棚用回転モータ２６の回転により一方の栽培棚２３が上昇するとき他方の栽培棚２３が下降するよう棚用回転シャフト２５に巻き付けられている。【選択図】図１
0003139299.tif 000002
【実用新案登録請求の範囲】
【請求項１】
複数の移動架台と複数の栽培棚とを有し、
各移動架台は水平方向に伸びて並列に配置され、それぞれ幅方向に移動可能に設けられ、
各栽培棚は各移動架台の幅方向の両側部に上下動可能に設けられていることを、
特徴とする植物栽培システム。
【請求項２】
各移動架台ごとに棚用回転シャフトと棚用回転モータと棚用ワイヤとを有し、
前記棚用回転シャフトは各移動架台にその長さ方向に伸びて回転可能に設けられ、
前記棚用回転モータは前記棚用回転シャフトを正転および反転可能に各移動架台に設けられ、
前記棚用ワイヤは両端にそれぞれ前記栽培棚が吊り下げられ、前記棚用回転モータの回転により一方の栽培棚が上昇するとき他方の栽培棚が下降するよう前記棚用回転シャフトに巻き付けられていることを、
特徴とする請求項１記載の植物栽培システム。
【請求項３】
各移動架台ごとに１対の棚用移動手段を有し、
各棚用移動手段は各移動架台の幅方向の両側部にそれぞれ設けられ、棚用回転シャフトと棚用回転モータと棚用ワイヤとを有し、
前記棚用回転シャフトは各移動架台にその長さ方向に伸びて回転可能に設けられ、
前記棚用回転モータは前記棚用回転シャフトを正転および反転可能に各移動架台に設けられ、
前記棚用ワイヤは一端が前記棚用回転シャフトに取り付けられ、他端に前記栽培棚が前記棚用回転モータの回転により昇降可能に吊り下げられていることを、
特徴とする請求項１記載の植物栽培システム。
【請求項４】
架台移動レールと架台用ワイヤとを有し、
前記架台移動レールは水平に設けられ、
前記架台用ワイヤは両端が前記架台移動レールの両端に固定され、
各移動架台ごとに架台用回転シャフトと架台用回転モータと移動用キャスターとを有し、
前記架台用回転シャフトは各移動架台にその長さ方向に伸びて回転可能に設けられ、回転により前記架台用ワイヤに沿って移動可能に前記架台用ワイヤが巻き付けられ、
前記架台用回転モータは前記移動架台用回転シャフトを正転および反転可能に各移動架台に設けられ、
前記移動用キャスターは各移動架台に取り付けられ、前記架台移動レールに沿って移動可能に前記架台移動レールと係合していることを、
特徴とする請求項１、２または３記載の植物栽培システム。
【考案の詳細な説明】
【技術分野】
【０００１】
本考案は、植物栽培システムに関する。
【背景技術】
【０００２】
従来、イチゴなどの植物をハウス内で水耕栽培するための装置として、水耕栽培用の栽培槽を支持する支持台を、軌道上で自在に移動可能に構成したものがある（例えば、特許文献１参照）。この水耕栽培装置によれば、支持台を順次移動させることにより、任意の栽培槽の脇に、葉かきや摘果などを行うための作業スペースを確保することができる。また、このため、各栽培槽の脇に作業スペースを設ける場合に比べて、栽培面積を拡げることができ、栽培密度を高めることができる。
【０００３】
【特許文献１】特公平４−７９６１５号公報
【考案の開示】
【考案が解決しようとする課題】
【０００４】
しかしながら、特許文献１記載の水耕栽培装置は、支持台を移動させて作業スペースを確保するために、少なくとも一つ分の作業スペースが必要であり、そのスペースには栽培することができないという課題があった。
【０００５】
本考案は、このような課題に着目してなされたもので、作業スペースを確保しつつ、より栽培密度を高めることができる植物栽培システムを提供することを目的としている。
【課題を解決するための手段】
【０００６】
上記目的を達成するために、本考案に係る植物栽培システムは、複数の移動架台と複数の栽培棚とを有し、各移動架台は水平方向に伸びて並列に配置され、それぞれ幅方向に移動可能に設けられ、各栽培棚は各移動架台の幅方向の両側部に上下動可能に設けられていることを、特徴とする。
【０００７】
本考案に係る植物栽培システムは、ハウスなどに設置され、イチゴなどの植物を植えた栽培槽を各栽培棚の上に載せて、植物を栽培するのに使用される。本考案に係る植物栽培システムは、各移動架台の両側部に設けられた各栽培棚を上下動させて、隣り合う移動架台の、相対する栽培棚の高さをずらし、その相対する栽培棚が上下に配置されるよう、各移動架台を幅方向に移動させることができる。このため、ハウスなどの敷地いっぱいに栽培棚を敷き詰めるよう各移動架台を設置しても、栽培棚および移動架台を移動させることにより、各栽培棚の間に作業スペースを設けることができる。このため、作業スペースを確保しつつ、敷地を最大限に利用して栽培面積を拡げることができ、より栽培密度を高めることができる。また、栽培密度を高めることにより、イチゴなどの植物の生産性を向上させることができる。
【０００８】
各移動架台の幅方向の移動および各栽培棚の上下動は、モータなどによる電動であってもよく、手動であってもよい。また、任意の位置に作業スペースを出現させるよう、各移動架台および各栽培棚の動きを自動で制御可能な制御部を有していてもよい。太陽の位置を検出し、各栽培棚に載せられた栽培槽に効率よく日光が当たるよう、各移動架台および各栽培棚を自動で移動させる自動制御手段を有していてもよい。この場合、効率的な日光の照射がイチゴなどの植物の生長を促し、より生産性を高めることができる。
【０００９】
本考案に係る植物栽培システムで、各移動架台ごとに棚用回転シャフトと棚用回転モータと棚用ワイヤとを有し、
前記棚用回転シャフトは各移動架台にその長さ方向に伸びて回転可能に設けられ、前記棚用回転モータは前記棚用回転シャフトを正転および反転可能に各移動架台に設けられ、前記棚用ワイヤは両端にそれぞれ前記栽培棚が吊り下げられ、前記棚用回転モータの回転により一方の栽培棚が上昇するとき他方の栽培棚が下降するよう前記棚用回転シャフトに巻き付けられていることが好ましい。この場合、棚用回転モータの回転により、棚用回転シャフトに巻き付けられた棚用ワイヤの一端側が棚用回転シャフトに巻き取られ、巻き付けられた棚用ワイヤが棚用回転シャフトから他端側に繰り出される。これにより、一端に吊り下げられた栽培棚を上昇させ、他端に吊り下げられた栽培棚を下降させることができる。また、棚用回転モータを反転させることにより、一端に吊り下げられた栽培棚を下降させ、他端に吊り下げられた栽培棚を上昇させることができる。この場合、１つの棚用回転モータで、各栽培棚を効率よく上下動させることができる。
【００１０】
本考案に係る植物栽培システムで、各移動架台ごとに１対の棚用移動手段を有し、各棚用移動手段は各移動架台の幅方向の両側部にそれぞれ設けられ、棚用回転シャフトと棚用回転モータと棚用ワイヤとを有し、前記棚用回転シャフトは各移動架台にその長さ方向に伸びて回転可能に設けられ、前記棚用回転モータは前記棚用回転シャフトを正転および反転可能に各移動架台に設けられ、前記棚用ワイヤは一端が前記棚用回転シャフトに取り付けられ、他端に前記栽培棚が前記棚用回転モータの回転により昇降可能に吊り下げられていてもよい。この場合、棚用回転モータの回転により、棚用ワイヤが棚用回転シャフトに巻き取られ、他端に吊り下げられた栽培棚を上昇させることができる。また、棚用回転モータを反転させることにより、巻き取られた棚用ワイヤが棚用回転シャフトから繰り出され、他端に吊り下げられた栽培棚を下降させることができる。この場合、各栽培棚を独立して任意に上下動させることができる。
【００１１】
本考案に係る植物栽培システムは、架台移動レールと架台用ワイヤとを有し、前記架台移動レールは水平に設けられ、前記架台用ワイヤは両端が前記架台移動レールの両端に固定され、各移動架台ごとに架台用回転シャフトと架台用回転モータと移動用キャスターとを有し、前記架台用回転シャフトは各移動架台にその長さ方向に伸びて回転可能に設けられ、回転により前記架台用ワイヤに沿って移動可能に前記架台用ワイヤが巻き付けられ、前記架台用回転モータは前記移動架台用回転シャフトを正転および反転可能に各移動架台に設けられ、前記移動用キャスターは各移動架台に取り付けられ、前記架台移動レールに沿って移動可能に前記架台移動レールと係合していることが好ましい。この場合、架台用回転モータの回転により、架台用回転シャフトに巻き付けられた架台用ワイヤの一端側が架台用回転シャフトに巻き取られ、巻き付けられた架台用ワイヤが架台用回転シャフトから他端側に繰り出される。これにより、移動架台を、移動用キャスターにより架台移動レールに沿って幅方向に移動させることができる。
【考案の効果】
【００１２】
本考案によれば、作業スペースを確保しつつ、より栽培密度を高めることができる植物栽培システムを提供することができる。
【考案を実施するための最良の形態】
【００１３】
以下、図面に基づき、本考案の実施の形態について説明する。
図１乃至図３は、本考案の第１の実施の形態の植物栽培システムを示している。
図１乃至図３に示すように、植物栽培システム１０は、ハウス１の内部に設けられ、複数の移動架台１１と架台移動レール１２と架台用ワイヤ１３とを有している。
【００１４】
図１乃至図３に示すように、各移動架台１１は、スチール製で、架台本体２１と移動用キャスター２２と１対の栽培棚２３と中央吊下棚２４と棚用回転シャフト２５と棚用回転モータ２６と棚用ワイヤ２７と架台用回転シャフト２８と架台用回転モータ２９とを有している。図２および図３に示すように、架台本体２１は、複数の枠体３１と、各枠体３１を連結する複数の連結梁材３２とを有している。図２に示すように、各枠体３１は、所定の間隔を開けて互いに平行に垂直に配置された１対の側方枠材３３と、各側方枠材３３の上端を連結して水平に設けられた上枠材３４と、各側方枠材３３の下端を連結して水平に設けられた下枠材３５とを有している。下枠材３５は、両端が各側方枠材３３より外側に突出するよう設けられている。図３に示すように、各枠体３１は、各側方枠材３３、上枠材３４および下枠材３５を含む面が互いに平行になるよう、所定の間隔を開けて配置されている。各連結梁材３２は、各枠体３１を一体的に連結するよう設けられている。各連結梁材３２は、隣り合う各枠体３１の、対応する各側方枠材３３と下枠材３５との接続部同士を連結して水平に設けられている。
【００１５】
図２および図３に示すように、各枠体３１は、上枠材３４の両端上部に、１対の棚用ローラ３６を有している。各棚用ローラ３６は上枠材３４の長さ方向に沿って回転するよう取り付けられている。また、架台本体２１は、各連結梁材３２の各枠体３１に近い両端部に、移動用ガイドローラ３７を有している。各移動用ガイドローラ３７は、各枠体３１の下枠材３５の長さ方向に沿って回転するよう取り付けられている。
【００１６】
移動用キャスター２２は、各枠体３１の下枠材３５の両端下部に取り付けられている。移動用キャスター２２は、下枠材３５の長さ方向に沿って回転するよう取り付けられ、各移動架台１１を幅方向に移動させるようになっている。
【００１７】
図２および図３に示すように、各栽培棚２３は、各枠体３１を連結した方向、すなわち各移動架台１１の長さ方向に沿って、各移動架台１１の両側部に設けられている。各栽培棚２３は、各枠体３１の対応する各側方枠材３３を連結するよう設けられている。各栽培棚２３は、各側方枠材３３の外側に向かって突出するよう、各側方枠材３３に上下動可能に設けられている。各栽培棚２３は、イチゴなどの植物を植えた栽培槽２を上載可能になっている。
【００１８】
中央吊下棚２４は、各移動架台１１の長さ方向に沿って、各枠体３１の上枠材３４を連結するよう設けられている。中央吊下棚２４は、各枠体３１の上枠材３４から吊り下げられた状態で取り付けられている。中央吊下棚２４は、イチゴなどの植物を植えた栽培槽２を上載可能になっている。
【００１９】
図２および図３に示すように、棚用回転シャフト２５は、各移動架台１１の長さ方向に伸びて、各枠体３１の上枠材３４の中央上部に架け渡されている。棚用回転シャフト２５は、その中心軸回りに回転可能に、ベアリング（図示せず）を介して各上枠材３４に取り付けられている。棚用回転モータ２６は、棚用回転シャフト２５の一端に接続され、棚用回転シャフト２５をその中心軸まわりに正転および反転可能に設けられている。棚用回転モータ２６は、棚用回転シャフト２５の一端側に位置する枠体３１の上枠材３４の中央上部に設けられている。なお、棚用回転モータ２６は、回転の駆動や回転方向を制御するためのリモコンスイッチ（図示せず）を有している。
【００２０】
棚用ワイヤ２７は、各枠体３１に対応して複数設けられている。棚用ワイヤ２７は、中央部が棚用回転シャフト２５に２回巻き付けられて、各棚用ローラ３６を介して、一端に一方の栽培棚２３が吊り下げられ、他端に他方の栽培棚２３が吊り下げられている。これにより、図２に示すように、各移動架台１１は、棚用回転モータ２６の回転により、一方の栽培棚２３が上昇するとき、他方の栽培棚２３が下降するよう構成されている。なお、各移動架台１１は、手動でも各栽培棚２３を上下動可能になっている。
【００２１】
図２および図３に示すように、架台用回転シャフト２８は、各移動架台１１の長さ方向に沿って、各枠体３１の下枠材３５の中央上部に架け渡されている。架台用回転シャフト２８は、その中心軸回りに回転可能に、ベアリング３８を介して各下枠材３５に取り付けられている。架台用回転モータ２９は、架台用回転シャフト２８の一端に接続され、架台用回転シャフト２８をその中心軸まわりに正転および反転可能に設けられている。架台用回転モータ２９は、架台用回転シャフト２８の一端側の棚用回転モータ２６が設けられているのと同じ枠体３１の下枠材３５の中央上部に設けられている。なお、架台用回転モータ２９は、回転の駆動や回転方向を制御するためのリモコンスイッチ（図示せず）を有している。
【００２２】
図２および図３に示すように、架台移動レール１２は、複数本から成り、ハウス１の床に、各移動架台１１の幅方向に伸びて設けられている。各架台移動レール１２は、各移動架台１１の各枠体３１の間隔に合わせて、互いに平行に設けられている。各架台移動レール１２は、凹型の断面形状を有するＣ型鋼から成り、溝１２ａを上に向けて設置されている。架台用ワイヤ１３は、各架台移動レール１２に対応して複数から成り、各架台移動レール１２に沿って設けられている。各架台用ワイヤ１３は、両端が各架台移動レール１２の両端に固定されている。
【００２３】
図１に示すように、植物栽培システム１０は、ハウス１内で、各移動架台１１が水平方向に伸びて並列に配置されている。図２および図３に示すように、各移動架台１１は、各移動用キャスター２２を各架台移動レール１２の溝１２ａに係合させ、架台用回転シャフト２８に各架台用ワイヤ１３を２回巻き付けて配置されている。これにより、図１に示すように、各移動架台１１は、架台用回転モータ２９の回転により、互いの間隔を変更可能に、架台移動レール１２に沿って幅方向に移動するよう構成されている。なお、各移動架台１１は、手動でも幅方向に移動可能になっている。
【００２４】
次に、作用について説明する。
植物栽培システム１０は、イチゴなどの植物を植えた栽培槽２を各栽培棚２３および中央吊下棚２４の上に載せて、植物を栽培するのに使用される。図２に示すように、植物栽培システム１０は、棚用回転モータ２６の回転により、棚用回転シャフト２５に巻き付けられた棚用ワイヤ２７の一端側が棚用回転シャフト２５に巻き取られ、巻き付けられた棚用ワイヤ２７が棚用回転シャフト２５から他端側に繰り出される。これにより、一端に吊り下げられた栽培棚２３を上昇させ、他端に吊り下げられた栽培棚２３を下降させることができる。また、棚用回転モータ２６を反転させることにより、一端に吊り下げられた栽培棚２３を下降させ、他端に吊り下げられた栽培棚２３を上昇させることができる。
【００２５】
また、架台用回転モータ２９の回転により、架台用回転シャフト２８に巻き付けられた架台用ワイヤ１３の一端側が架台用回転シャフト２８に巻き取られ、巻き付けられた架台用ワイヤ１３が架台用回転シャフト２８から他端側に繰り出される。これにより、移動架台１１を、移動用キャスター２２により架台移動レール１２に沿って幅方向に移動させることができる。
【００２６】
これにより、図１に示すように、各移動架台１１の両側部に設けられた各栽培棚２３を上下動させて、隣り合う移動架台１１の、相対する栽培棚２３の高さをずらし、その相対する栽培棚２３が上下に配置されるよう、各移動架台１１を幅方向に移動させることができる。このため、ハウス１などの敷地いっぱいに栽培棚２３を敷き詰めるよう各移動架台１１を設置しても、栽培棚２３および移動架台１１を移動させることにより、各栽培棚２３の間に作業スペースを設けることができる。このため、作業スペースを確保しつつ、敷地を最大限に利用して栽培面積を拡げることができ、より栽培密度を高めることができる。また、栽培密度を高めることにより、イチゴなどの植物の生産性を向上させることができる。
【００２７】
なお、図１に示す具体的な一例では、植物栽培システム１０は、イチゴの水耕栽培に使用され、ハウス１の間口が５．５〜６ｍ、移動架台１１は、３台から成っている。栽培槽２は、防水性で、発泡スチロール製の箱をビニールで包み込んで形成されている。この場合、各栽培棚２３および各移動架台１１を移動させることにより、８０〜９０ｃｍの作業スペースを確保することができ、各栽培槽２の脇に作業スペースを設ける場合に比べて、２〜２．３倍の栽培面積を確保することができる。
【００２８】
図４乃至図６は、本考案の第２の実施の形態の植物栽培システムを示している。
なお、以下の説明では、本考案の第１の実施の形態の植物栽培システム１０の構成と同一の部材には同一の符号を付して、重複する説明を省略する。
図４乃至図６に示すように、植物栽培システム５０は、ハウス１の内部に設けられ、複数の移動架台５１と架台移動レール１２と架台用ワイヤ１３とを有している。
【００２９】
図４乃至図６に示すように、各移動架台５１は、スチール製で、架台本体６１と移動用キャスター２２と１対の栽培棚２３と中央載置棚６２と１対の棚用移動手段６３と架台用回転シャフト２８と架台用回転モータ２９とを有している。図５および図６に示すように、架台本体６１は、複数の枠体７１と、各枠体７１を連結する複数の連結梁材３２とを有している。図５に示すように、各枠体７１は、所定の間隔を開けて互いに平行に垂直に配置された１対の側方枠材７２と、各側方枠材７２の下端を連結して水平に設けられた下枠材７３とを有している。下枠材７３は、両端が各側方枠材７２より外側に突出するよう設けられている。各枠体７１は、各側方枠材７２および下枠材７３を含む面が互いに平行になるよう、所定の間隔を開けて配置されている。各連結梁材３２は、各枠体７１を一体的に連結するよう設けられている。各連結梁材３２は、隣り合う各枠体７１の、対応する各側方枠材７２と下枠材７３との接続部同士を連結して水平に設けられている。
【００３０】
図５および図６（ｂ）に示すように、架台本体６１は、各連結梁材３２の各枠体７１に近い両端部に、移動用ガイドローラ３７を有している。各移動用ガイドローラ３７は、各枠体７１の下枠材７３の長さ方向に沿って回転するよう取り付けられている。
【００３１】
図５に示すように、中央載置棚６２は、各枠体７１の各側方枠材７２の間に、各側方枠材７２を連結するよう水平方向に伸びて設けられている。中央載置棚６２は、所定の高さに設けられ、イチゴなどの植物を植えた栽培槽２を上載可能になっている。
【００３２】
図５および図６（ａ）に示すように、各棚用移動手段６３は、各栽培棚２３に対応して設けられ、棚用回転シャフト７４と棚用回転モータ７５と複数の棚用ワイヤ７６とをそれぞれ有している。各棚用回転シャフト７４は、各側方枠材７２の外側上部に、各移動架台１１の長さ方向に沿って各枠体７１に架け渡されるよう配置されている。各棚用回転シャフト７４は、その中心軸回りに回転可能に、ベアリング７７を介して各側方枠材７２に取り付けられている。
【００３３】
各棚用回転モータ７５は、各棚用回転シャフト７４の一端に接続され、各棚用回転シャフト７４をその中心軸まわりに正転および反転可能に設けられている。各棚用回転モータ７５は、各棚用回転シャフト７４の一端側に位置する枠体７１の各側方枠材７２の上部に設けられている。なお、各棚用回転モータ７５は、回転の駆動や回転方向を制御するためのリモコンスイッチ（図示せず）を有している。
【００３４】
棚用ワイヤ７６は、各側方枠材７２に対応して複数設けられている。各棚用ワイヤ７６は、一端が棚用回転シャフト７４に取り付けられ、他端に対応する栽培棚２３が吊り下げられている。各棚用ワイヤ７６は、棚用回転モータ７５の回転により、一端が棚用回転シャフト７４に巻き取り可能になっている。これにより、図５に示すように、各移動架台５１は、棚用回転モータ７５の回転により、各棚用ワイヤ７６が棚用回転シャフト７４に巻き取られ、他端に吊り下げられた栽培棚２３を上昇させるよう構成されている。
【００３５】
次に、作用について説明する。
植物栽培システム５０は、イチゴなどの植物を植えた栽培槽２を各栽培棚２３および中央載置棚６２の上に載せて、植物を栽培するのに使用される。図５に示すように、植物栽培システム５０は、棚用回転モータ７５の回転により、各棚用ワイヤ７６が棚用回転シャフト７４に巻き取られ、他端に吊り下げられた栽培棚２３を上昇させることができる。また、棚用回転モータ７５を反転させることにより、巻き取られた各棚用ワイヤ７６が棚用回転シャフト７４から繰り出され、他端に吊り下げられた栽培棚２３を下降させることができる。植物栽培システム５０は、各栽培棚２３を独立して任意に上下動させることができる。
【００３６】
また、架台用回転モータ２９の回転により、架台用回転シャフト２８に巻き付けられた架台用ワイヤ１３の一端側が架台用回転シャフト２８に巻き取られ、巻き付けられた架台用ワイヤ１３が架台用回転シャフト２８から他端側に繰り出される。これにより、移動架台５１を、移動用キャスター２２により架台移動レール１２に沿って幅方向に移動させることができる。
【００３７】
これにより、図４に示すように、各移動架台５１の両側部に設けられた各栽培棚２３を上下動させて、隣り合う移動架台５１の、相対する栽培棚２３の高さをずらし、その相対する栽培棚２３が上下に配置されるよう、各移動架台５１を幅方向に移動させることができる。このため、ハウス１などの敷地いっぱいに栽培棚２３を敷き詰めるよう各移動架台５１を設置しても、栽培棚２３および移動架台５１を移動させることにより、各栽培棚２３の間に作業スペースを設けることができる。このため、作業スペースを確保しつつ、敷地を最大限に利用して栽培面積を拡げることができ、より栽培密度を高めることができる。また、栽培密度を高めることにより、イチゴなどの植物の生産性を向上させることができる。
【００３８】
なお、図４に示す具体的な一例では、植物栽培システム５０は、イチゴの水耕栽培に使用され、ハウス１の間口が５．５〜６ｍ、移動架台５１は、３台から成っている。栽培槽２は、防水性で、発泡スチロール製の箱をビニールで包み込んで形成されている。この場合、各栽培棚２３および各移動架台５１を移動させることにより、８０〜９０ｃｍの作業スペースを確保することができ、各栽培槽２の脇に作業スペースを設ける場合に比べて、２〜２．３倍の栽培面積を確保することができる。
【００３９】
なお、植物栽培システム１０および植物栽培システム５０は、任意の位置に作業スペースを出現させるよう、各移動架台１１または各移動架台５１、および、各栽培棚２３の動きを自動で制御可能な制御部を有していてもよい。また、太陽の位置を検出し、各栽培棚２３に載せられた栽培槽２に効率よく日光が当たるよう、各移動架台１１または各移動架台５１、および、各栽培棚２３を自動で移動させる自動制御手段を有していてもよい。この場合、効率的な日光の照射がイチゴなどの植物の生長を促し、より生産性を高めることができる。
【図面の簡単な説明】
【００４０】
【図１】本考案の第１の実施の形態の植物栽培システムの（ａ）栽培中の使用状態を示す正面図、（ｂ）右端に作業スペースを設けたときの使用状態を示す正面図、（ｃ）移動架台と移動架台との間に作業スペースを設けたときの使用状態を示す正面図である。
【図２】図１に示す植物栽培システムの移動架台を示す正面図である。
【図３】図１に示す植物栽培システムの移動架台を示す側面図である。
【図４】本考案の第２の実施の形態の植物栽培システムの（ａ）栽培中の使用状態を示す正面図、（ｂ）右端に作業スペースを設けたときの使用状態を示す正面図、（ｃ）移動架台と移動架台との間に作業スペースを設けたときの使用状態を示す正面図である。
【図５】図４に示す植物栽培システムの移動架台を示す正面図である。
【図６】図４に示す植物栽培システムの移動架台を示す（ａ）一方の端部の上部の拡大側面図、（ｂ）一方の端部の下部の拡大平面図である。
【符号の説明】
【００４１】
１  ハウス
２  栽培槽
１０  植物栽培システム
１１  移動架台
１２  架台移動レール
１３  架台用ワイヤ
２１  架台本体
２２  移動用キャスター
２３  栽培棚
２４  中央吊下棚
２５  棚用回転シャフト
２６  棚用回転モータ
２７  棚用ワイヤ
２８  架台用回転シャフト
２９  架台用回転モータ
３１  枠体
３２  連結梁材
３３  側方枠材
３４  上枠材
３５  下枠材
３６  棚用ローラ
３７  移動用ガイドローラ
【図１】
0003139299.tif 000003
【図２】
0003139299.tif 000004
【図３】
0003139299.tif 000005
【図４】
0003139299.tif 000006
【図５】
0003139299.tif 000007
【図６】
0003139299.tif 000008